(57)【要約】  本発明は、画像を含むコンテンツを複数のユーザが同時に鑑賞するのに好適なウエアラブルディスプレイを提供することを目的とする。そのために、本発明のウエアラブルディスプレイは、画像を含むコンテンツの情報をユーザが感受可能な状態にするデバイス（１０１）と、前記デバイス（１０１）を前記ユーザの頭部へ装着するための装着具（１０３，１０４，１０２Ｌ，１０２Ｒ）とを備えた装置本体（１００）の外装部に、前記デバイス（１０１）へ入力される信号と同じ内容の信号を外部機器（１０１’）へ出力するための外部出力端子（２０２ｏｕｔ）を設けたことを特徴とする。
2007129443.tif 000002
【特許請求の範囲】
【請求項１】
画像を含むコンテンツの情報をユーザが感受可能な状態にするデバイスと、
前記デバイスを前記ユーザの頭部へ装着するための装着具と、
を備えた装置本体の外装部に、
前記デバイスへ入力される信号と同じ内容の信号を外部機器へ出力するための外部出力端子を設けた
ことを特徴とするウエアラブルディスプレイ。
【請求項２】
請求項１に記載のウエアラブルディスプレイにおいて、
前記装置本体の内部には、
前記外部機器へ出力される前記信号に対し処理を施す信号処理部が備えられ、
前記信号処理部は、
前記外部出力端子に前記外部機器が接続されていない期間には、前記処理の動作を制限する
ことを特徴とするウエアラブルディスプレイ。
【請求項３】
請求項１又は請求項２に記載のウエアラブルディスプレイにおいて、
前記装着具は、
前記ユーザに対する前記デバイスの方向を反転させることが可能であり、
前記装置本体の内部には、
前記方向が反転すると、前記デバイスへ入力される信号と前記外部機器へ出力される信号とのうち、前者のみをその反転方向に応じて反転させる反転処理部が備えられる
ことを特徴とするウエアラブルディスプレイ。
【請求項４】
請求項１〜請求項３の何れか一項に記載のウエアラブルディスプレイにおいて、
前記デバイスには、少なくとも、
前記コンテンツに含まれる画像を前記ユーザの一方の眼が感受可能な状態にする画像表示デバイスが含まれる
ことを特徴とするウエアラブルディスプレイ。
【請求項５】
請求項４に記載のウエアラブルディスプレイにおいて、
前記デバイスには、
前記コンテンツに含まれる画像を前記ユーザの一方の眼が感受可能な状態にする画像表示デバイスと、前記コンテンツに含まれる音声を前記ユーザの左右の耳が感受可能な状態にする音声出力デバイスとが含まれる
ことを特徴とするウエアラブルディスプレイ。
【請求項６】
請求項１〜請求項５の何れか一項に記載のウエアラブルディスプレイにおいて、
前記装置本体の内部には、
前記コンテンツのファイルを格納可能な記憶部と、
前記コンテンツのファイルを再生して前記信号を生成する信号再生部と
が備えられることを特徴とするウエアラブルディスプレイ。
【請求項７】
請求項１〜請求項６の何れか一項に記載のウエアラブルディスプレイにおいて、
前記装置本体の外装部には、
前記信号を外部機器から入力するための外部入力端子が設けられる
ことを特徴とするウエアラブルディスプレイ。
【発明の詳細な説明】
【技術分野】
【０００１】
本発明は、頭部装着型の画像表示装置（ウエアラブルディスプレイ）に関する。
【背景技術】
【０００２】
近年、液晶表示素子（ＬＣＤ）等の表示デバイスをユーザの頭部へ装着するウエアラブルディスプレイが提案されている。このウエアラブルィスプレイは、一般に、ヘッドマウントディスプレイ（ＨＭＤ）などと呼ばれる（特許文献１等を参照）。【０００３】
ユーザは、ＨＭＤを携帯型メディアプレーヤ（ターミナル）などに接続し、それを携帯すれば、外出先などで所望の映像コンテンツを鑑賞することができる。
【特許文献１】特開２００２−２３２８１０号公報
【発明の開示】
【発明が解決しようとする課題】
【０００４】
将来、ＨＭＤのユーザが増加した場合、複数のＨＭＤユーザが同じコンテンツを同時に鑑賞したいという要求も生じ得る。しかし、従来のＨＭＤでそれを行おうとすると、ターミナルから出力される映像信号を分岐する器具や、その映像信号を無線信号へと変換する器具などが必要であった。【０００５】
そこで本発明は、画像を含むコンテンツを複数のユーザが同時に鑑賞するのに好適なウエアラブルディスプレイを提供することを目的とする。
【課題を解決するための手段】
【０００６】
本発明のウエアラブルディスプレイは、画像を含むコンテンツの情報をユーザが感受可能な状態にするデバイスと、前記デバイスを前記ユーザの頭部へ装着するための装着具と、を備えた装置本体の外装部に、前記デバイスへ入力される信号と同じ内容の信号を外部機器へ出力するための外部出力端子を設けたことを特徴とする。【０００７】
なお、前記装置本体の内部には、前記外部機器へ出力される前記信号に対し処理を施す信号処理部が備えられ、前記信号処理部は、前記外部出力端子に前記外部機器が接続されていない期間には、前記処理の動作を制限してもよい。【０００８】
また、前記装着具は、前記ユーザに対する前記デバイスの方向を反転させることが可能であり、前記装置本体の内部には、前記方向が反転すると、前記デバイスへ入力される信号と前記外部機器へ出力される信号とのうち、前者のみをその反転方向に応じて反転させる反転処理部が備えられてもよい。【０００９】
また、前記デバイスには、少なくとも、前記コンテンツに含まれる画像を前記ユーザの一方の眼が感受可能な状態にする画像表示デバイスが含まれることが望ましい。【００１０】
また、前記デバイスには、前記コンテンツに含まれる画像を前記ユーザの一方の眼が感受可能な状態にする画像表示デバイスと、前記コンテンツに含まれる音声を前記ユーザの左右の耳が感受可能な状態にする音声出力デバイスとが含まれることが望ましい。【００１１】
また、前記装置本体の内部には、前記コンテンツのファイルを格納可能な記憶部と、前記コンテンツのファイルを再生して前記信号を生成する信号再生部とが備えられてもよい。【００１２】
また、前記装置本体の外装部には、前記信号を外部機器から入力するための外部入力端子が設けられてもよい。
【発明の効果】
【００１３】
本発明によれば、画像を含むコンテンツを複数のユーザが同時に鑑賞するのに好適なウエアラブルディスプレイが実現する。
【図面の簡単な説明】
【００１４】
【図１】第１実施形態のＨＭＤシステムの実施形態である。
【図２】第１実施形態のＨＭＤ本体１００の内部構成を示すブロック図である。
【図３】第２実施形態のＣＰＵ５２０の動作フローチャートである。
【図４】第３実施形態のＨＭＤ本体１００の外観図（模式図）である。
【図５】第３実施形態のＨＭＤ本体１００の内部構成を示すブロック図である。
【図６】第３実施形態ＣＰＵ５２０の動作フローチャートである。
【発明を実施するための最良の形態】
【００１５】
［第１実施形態］
本発明の第１実施形態を説明する。本実施形態は、ＨＭＤシステムの実施形態である。【００１６】
先ず、本システムの全体構成を説明する。【００１７】
図１は、本システムの全体構成図である。図１に示すとおり、本システムには、互いに同じ構成の２つのＨＭＤ本体１００，１００’と、ターミナル５００とが備えられる。【００１８】
ＨＭＤ本体１００は、左右のヘッドホン１０２Ｌ，１０２Ｒ、それらヘッドホン１０２Ｌ，１０２Ｒを支持するヘッドバンド１０３、ヘッドバンド１０３に連結されたサイドアーム１０４、サイドアーム１０４の先端に固定された表示ユニット１０１などを備える。このＨＭＤ本体１００がユーザの頭部に装着されると、ヘッドバンド１０３は、左右のヘッドホン１０２Ｌ，１０２Ｒをユーザの左右の耳へ押し当てる。この状態で、サイドアーム１０４は、表示ユニット１０１をユーザの一方の眼の前に配置する。ここでは、この眼を左眼とし、「観察眼」という。【００１９】
このＨＭＤ本体１００において、右のヘッドホン１０２Ｒのケース上には、操作釦ＣＢが設けられ、左のヘッドホン１０２Ｌのケース上には、外部入力端子２０２ｉｎ及び外部出力端子２０２ｏｕｔが設けられる。このうち、外部入力端子２０２ｉｎは、ケーブル２００を介してターミナル５００の外部出力端子５００ｏｕｔに接続され、外部出力端子２０２ｏｕｔは、ケーブル２００’を介してＨＭＤ本体１００’の外部入力端子２０２ｉｎに接続される。【００２０】
なお、外部入力端子２０２ｉｎ、外部出力端子２０２ｏｕｔ、外部出力端子５００ｏｕｔの各々は、後述する映像信号や左右の音声信号を送受するため、少なくとも３種類の電気接点を有しており、ケーブル２００，２００’の両端には、このような端子に適合するコネクタが設けられている。【００２１】
ターミナル５００の内部には、音声付き映像コンテンツ、音声コンテンツ、映像コンテンツ、静止画像コンテンツ等のファイルが格納されており、ターミナル５００の表面には、各種操作釦が設けられる。ユーザは、これらの操作釦を操作することにより、何れかのコンテンツを指定し、その再生指示をターミナル５００へ与えることができる。或るコンテンツが指定され、その再生指示が与えられると、ターミナル５００は、そのコンテンツのファイルを再生してコンテンツ信号を生成し、そのコンテンツ信号を生成順にＨＭＤ本体１００へと出力する。【００２２】
ここで、再生対象が音声付き映像コンテンツであったとき、コンテンツ信号は、並列的に生成される映像信号及び左右の音声信号（何れもアナログ信号）となる。また、再生対象が音声コンテンツであったとき、コンテンツ信号は、並列的に生成される左右の音声信号（何れもアナログ信号）となる。また、再生対象が映像コンテンツであったとき、コンテンツ信号は、映像信号（アナログ信号）となる。また、再生対象が静止画像コンテンツであったとき、コンテンツ信号は、静止画像用の映像信号（アナログ信号）となる。【００２３】
以下では、再生対象が音声付き映像コンテンツであり、コンテンツ信号が、並列的に生成される映像信号及び左右の音声信号であるとして説明する。【００２４】
次に、ＨＭＤ本体１００の内部構成及び動作を説明する。【００２５】
図２は、ＨＭＤ本体１００の内部構成を示すブロック図である。図２において、図１に示す要素と同じものには同じ符号を付した。【００２６】
表示ユニット１０１のケース内には、観察眼側から順に、レンズ１０１Ｌ、ミラー１０１Ｍ、ＬＣＤ（液晶表示素子）１０１Ｄ、バックライト１０１Ｂなどが配置される。ＬＣＤ１０１Ｄは、映像信号を観察眼が感受できる映像情報にするものである。レンズ１０１Ｌは、この表示ユニット１０１の背後にＬＣＤ１０１Ｄの拡大虚像を形成する機能を持つ。【００２７】
左のヘッドホン１０２Ｌのケース内には、左のスピーカ５７０Ｌ、ＣＰＵ５２０、ＣＰＵ５２０の作業に用いられるＲＡＭ５３０、ＣＰＵ５２０の動作プログラムを格納したＲＯＭ５１０、ＮＴＳＣ等の規格に準拠したエンコーダ５４０ｅｎ及びデコーダ５４０ｄｅ、ＬＣＤドライバ１０１Ｄ’、バックライトドライバ１０１Ｂ’、増幅器５５０などが配置される。また、左のヘッドホン１０２Ｌのケース上には、前述したとおり、外部入力端子２０２ｉｎ及び外部出力端子２０２ｏｕｔが設けられる。【００２８】
右のヘッドホン１０２Ｒのケース内には、右のスピーカ５７０Ｒ、電源回路５０１などが配置される。電源回路５０１は、ＣＰＵ５２０の指示の下、ＨＭＤ本体１００の各部へ必要な電力を供給する。また、右のヘッドホン１０２Ｒのケース上には、前述したとおり、操作釦ＣＢが設けられる。ユーザは、この操作釦ＣＢを操作し、ＨＭＤ本体１００へ指示を与えることができる。【００２９】
なお、以上のＨＭＤ本体１００において、レンズ１０１Ｌ、ミラー１０１Ｍ、ＬＣＤ１０１Ｄ、バックライト１０１Ｂ、スピーカ５７０Ｌ，５７０Ｒ以外の要素の配置先は、変更されても構わない。【００３０】
外部入力端子２０２ｉｎには、それに接続中の外部機器（ターミナル５００）から、映像信号及び左右の音声信号が並列に入力される。これらの映像信号及び左右の音声信号は、デコーダ５４０ｄｅにて並列的にディジタル処理されてから、ＣＰＵ５２０へ取り込まれる。ＣＰＵ５２０は、その映像信号をＬＣＤドライバ１０１Ｄ’へ送出すると共に、その左右の音声信号を増幅器５５０へ送出する。【００３１】
ＬＣＤドライバ１０１Ｄ’は、与えられる映像信号を適当な変調信号に変換してＬＣＤ１０１Ｄへ与え、ＬＣＤ１０１Ｄの透過率分布を時間変調する。このとき、バックライト１０１Ｂは、バックライトドライバ１０１Ｂ’によって適当な強度で点灯される。これによって、ＬＣＤ１０１Ｄの前面には映像が表示され、ＨＭＤ本体１００からユーザの観察眼に感受可能な映像が供給される。【００３２】
増幅器５５０は、与えられた左右の音声信号を並列的に増幅処理してから、左の音声信号をスピーカ５７０Ｌへ送出すると共に、右の音声信号をスピーカ５７０Ｒへ送出する。これによって、スピーカ５７０Ｌ，５７０Ｒからは音声が発せられ、ＨＭＤ本体１００からユーザの左右の耳に感受可能な音声が供給される。【００３３】
また、ＣＰＵ５２０は、ＬＣＤドライバ１０１Ｄ’へ送出するのと同じ映像信号と、増幅器５５０へ送出するのと同じ左右の音声信号とを、並列的にエンコーダ５４０ｅｎへと送出する。それらの映像信号及び左右の音声信号は、エンコーダ５４０ｅｎにて並列的にアナログ処理されてから外部出力端子２０２ｏｕｔへと与えられ、それに接続中の外部機器（ＨＭＤ本体１００’）へと並列に出力される。【００３４】
さらに、以上のＨＭＤ本体１００の動作は、別のＨＭＤ本体１００’（図１参照）の動作にも同様に当てはまる。よって、ＨＭＤ本体１００’は、接続中の外部機器（ＨＭＤ本体１００）から並列に送出される映像信号及び左右の音声信号に応じて、映像及び音声をユーザへ供給する。ＨＭＤ本体１００’のユーザへ或るタイミングで供給される映像及び音声は、ＨＭＤ本体１００のユーザへ略同じタイミングで供給されるものと同じである。【００３５】
したがって、本システムでは、ＨＭＤ本体１００とＨＭＤ本体１００’とを適切に接続するだけで、ＨＭＤ本体１００のユーザとＨＭＤ本体１００’のユーザとに対し、同じ音声付き映像コンテンツを同時に鑑賞させることができる。【００３６】
（第１実施形態の変形例）
なお、本システムでは、同じ構成の２つのＨＭＤ本体を互いに接続したが、それらと同じ構成の３以上のＨＭＤ本体を互いに接続してもよい。そうすれば、３人以上のユーザに対し同じ音声付き映像コンテンツを同時に鑑賞させることができる。【００３７】
また、本システムのＨＭＤ本体１００は、外部から入力されたコンテンツ信号（ここでは、映像信号及び左右の音声信号）を、ＣＰＵ５２０を介して外部へ送出したが、ＣＰＵ５２０を介さずにそのまま外部へ送出してもよい。【００３８】
また、本システムのＨＭＤ本体１００において、ＲＯＭ５１０は、ＣＰＵ５２０の動作プログラムを格納するものであったが、ＲＯＭ５１０として、大容量かつ書き換え可能なメモリ（フラッシュメモリなど）を使用し、そのＲＯＭ５１０にコンテンツのファイルを格納してもよい。その場合、ＨＭＤ本体１００のＣＰＵ５２０には、そのファイルを再生してコンテンツ信号を生成する機能が付与される。また、その場合、ＨＭＤ本体１００は、外部から入力されたコンテンツ信号を外部へ出力する代わりに、内部で生成したコンテンツ信号を外部へ出力してもよい。【００３９】
また、ＲＯＭ５１０にコンテンツのファイルを格納する場合、ＨＭＤ本体１００には、コンピュータなどの情報端末に接続し、その情報端末との間でコンテンツのファイルを送受するための接続端子が設けられる。【００４０】
また、本システムのＨＭＤ本体１００は、スピーカ５７０Ｌ，５７０Ｒを備えたが、ユーザへ音声を供給する必要が無ければ、省略してもよい。その場合、ＨＭＤ本体１００のうち、音声のみに関係する回路（増幅器５５０）も省略される。【００４１】
［第２実施形態］
本発明の第２実施形態を説明する。本実施形態は、第１実施形態のＨＭＤ本体１００の変形例である。ここでは、第１実施形態のＨＭＤ本体１００との相違点のみ説明する。相違点は、ＣＰＵ５２０の動作にある。【００４２】
図３は、本実施形態のＣＰＵ５２０の動作フローチャートである。ＨＭＤ本体１００の電源がオンされ、ＨＭＤ本体１００の各部への電力供給が開始されると、図３に示すとおり、ＣＰＵ５２０は、外部入力端子２０２ｉｎの接続状態に基づき、その外部入力端子２０２ｉｎが外部機器に接続されているか否かを監視し始める（ステップＳ１１）。【００４３】
そして、外部入力端子２０２ｉｎが外部機器（ターミナル５００）に接続されている期間には（ステップＳ１１ＹＥＳ）、ＣＰＵ５２０は、デコーダ５４０ｄｅに対する電力供給を継続させる（ステップＳ１２）。このときには、ＨＭＤ本体１００からユーザへの映像及び音声の供給（コンテンツの供給）が可能となる。なお、ユーザに対するコンテンツの供給方法については、第１実施形態で説明したとおりである。【００４４】
一方、外部入力端子２０２ｉｎに外部機器（ターミナル５００）が接続されていない期間には（ステップＳ１１ＮＯ）、ＣＰＵ５２０は、デコーダ５４０ｄｅに対する電力供給を停止させる（ステップＳ１３）。このときには、ＨＭＤ本体１００からユーザへのコンテンツの供給が不可能となる。【００４５】
また、ＣＰＵ５２０は、以上のデコーダ５４０ｄｅに関する制御と同様に、エンコーダ５４０を制御する（そのフローは図３と同様なので、図面を省略する。）。すなわち、ＣＰＵ５２０は、外部出力端子２０２ｏｕｔの接続状態に基づき、その外部出力端子２０２ｏｕｔが外部機器に接続されているか否かを監視する。【００４６】
そして、外部出力端子２０２ｏｕｔが外部機器（ＨＭＤ本体１００’）に接続されている期間には、ＣＰＵ５２０は、エンコーダ５４０ｅｎに対する電力供給を継続させる。このときには、ＨＭＤ本体１００からその外部機器への映像信号及び音声信号の出力（コンテンツ信号の出力）が可能となる。なお、外部機器に対するコンテンツ信号の出力方法は、第１実施形態で説明したとおりである。【００４７】
一方、外部出力端子２０２ｏｕｔに外部機器が接続されていない期間には、ＣＰＵ５２０は、エンコーダ５４０ｅｎに対する電力供給を停止させる。このときには、ＨＭＤ本体１００からその外部機器へのコンテンツ信号の出力は不可能となる。【００４８】
以上、本実施形態のＨＭＤ本体１００は、エンコーダ５４０ｅｎ及びデコーダ５４０ｄｅの動作を必要最小限に制限するので、消費電力の節減が可能である。【００４９】
なお、本実施形態のＨＭＤ本体１００は、電力供給の制限対象を、エンコーダ５４０ｅｎ及びデコーダ５４０ｄｅの双方としたが、何れか一方としてもよい。【００５０】
［第３実施形態］
本発明の第３実施形態を説明する。本実施形態は、第１実施形態のＨＭＤ本体１００の変形例である。ここでは、第１実施形態のＨＭＤ本体１００との相違点のみ説明する。相違点は、観察眼の切り替えが可能に構成された点にある。【００５１】
図４（Ａ）は、本実施形態のＨＭＤ本体１００の外観図（模式図）であり、ＨＭＤ本体１００を装着したユーザＵを横方向から見た様子を示している。【００５２】
図４（Ａ）に示すとおり、本実施形態のＨＭＤ本体１００は、サイドアーム１０４と左のヘッドホン１０２Ｌとの間に回動機構５８０を介接しており、この回動機構５８０の運動により、サイドアーム１０４は、図４（Ａ）中に点線矢印で示すとおり、左右のヘッドホンを結ぶ直線（紙面表裏方向の直線）を回動軸として、１８０°程度の角度範囲で回動可能である。１８０°回動した後のＨＭＤ本体１００の様子を、図４（Ｂ）に示した。【００５３】
以下、図４（Ａ）に示すＨＭＤ本体１００の状態（＝サイドアーム１０４の回動角度が０°近傍）を「標準状態」とし、図４（Ｂ）に示すＨＭＤ本体１００の状態（＝サイドアーム１０４の回動角度が１８０°近傍）を「反転状態」とする。【００５４】
また、ＨＭＤ本体１００が標準状態と反転状態との何れにあるかについては、回動機構５８０の近傍に設けられたセンサ５８０ｓによって検出される。このセンサ５８０ｓは、例えば、サイドアーム１０４の回動角度が９０°よりも大きいときにのみオン（又はオフ）されるメカスイッチである。【００５５】
このＨＭＤ本体１００のユーザＵは、左眼ＥＬで映像を観察するときには、ＨＭＤ本体１００を標準状態（図４（Ａ））にセットし、左のヘッドホン１０２Ｌが左耳に当たり、右のヘッドホンが右耳に当たるようにＨＭＤ本体１００を頭部へ装着すればよい。【００５６】
一方、このＨＭＤ本体１００のユーザＵは、右眼ＥＲで映像を観察するときには、ＨＭＤ本体１００を反転状態（図４（Ｂ））にセットし、左のヘッドホン１０２Ｌが右耳に当たり、右のヘッドホンが左耳に当たるようにＨＭＤ本体１００を頭部へ装着すればよい。【００５７】
したがって、ユーザＵから見ると、右眼で映像を観察するとき（図４（Ｂ））には、表示ユニット１０１の上下及び左右が反転しており、また、ヘッドホンの左右が反転している。【００５８】
図５は、本実施形態のＨＭＤ１００の内部構成を示すブロック図である。図５において、図２に示す要素と同じものには同じ符号を付した。図５に示すとおり、本実施形態のＨＭＤ本体１００では、増幅器５５０の出力側にセレクタ５５０ｓが挿入され、センサ５８０ｓの出力は、ＣＰＵ５２０に接続される。【００５９】
ＣＰＵ５２０は、センサ５８０ｓの出力を監視し、ＨＭＤ本体１００が標準状態にあるか否かを認識することが可能である。【００６０】
また、ＣＰＵ５２０は、セレクタ５５０ｓへと指示を与え、右の音声信号の送出先と、左の音声信号の送出先とを、右のスピーカ５７０Ｒと左のスピーカ５７０Ｌとの間で切り替えることができる。この切り替えにより、スピーカ５７０Ｒ，５７０Ｌからユーザへ供給される音声は、左右の間で反転する。【００６１】
また、ＣＰＵ５２０は、ＬＣＤドライバ１０１Ｄ’に対し、変調信号の出力先を上下左右の間で反転させるよう指示することができる。この反転により、ＬＣＤ１０１Ｄからユーザへ供給される映像も、上下左右の間で反転する。【００６２】
したがって、ＣＰＵ５２０は、ＨＭＤ本体１００が標準状態（図４（Ａ））から反転状態（図４（Ｂ））へと移行したときに、このようなコンテンツの反転を行えばよい。これによって、ＨＭＤ本体１００は、観察眼が左右の何れであるときにも正しい向きでコンテンツの情報をユーザに提供することができる。【００６３】
図６は、本実施形態のＣＰＵ５２０の動作フローチャートである。図６に示すとおり、本実施形態のＣＰＵ５２０は、センサ５８０ｓの出力に基づき、ＨＭＤ本体１００が標準状態にあるか否かを監視する（ステップＳ２１）。【００６４】
そして、ＨＭＤ本体１００が標準状態にある期間（ステップＳ２１ＹＥＳ）には、ＣＰＵ５２０は、第１実施形態と同様、ユーザへコンテンツを供給すると共に（ステップＳ２２）、それと同じコンテンツのコンテンツ信号を外部へ出力する（ステップＳ２３）。【００６５】
一方、ＨＭＤ本体１００が反転状態にある期間（ステップＳ２１ＮＯ）には、ＣＰＵ５２０は、ユーザへ供給されるコンテンツを前述したとおりに反転させると共に（ステップＳ２４）、反転前と同じコンテンツのコンテンツ信号を外部へ出力する（ステップＳ２５）。【００６６】
以上、本実施形態のＨＭＤ本体１００は、観察眼の切り替えが可能であり、しかも、それに応じてコンテンツを反転させる機能を持つが、外部へ送出するコンテンツ信号に対しては、その切り替えを何ら反映させることはない。【００６７】
したがって、本実施形態のＨＭＤ本体１００は、ユーザに対しコンテンツを正しい向きで提供することができ、しかも、接続中のＨＭＤ本体１００’（図１参照）が誤動作する可能性を防ぐこともできる。【００６８】
なお、本実施形態のＨＭＤ本体１００において、観察眼の切り替え方法については、上述した方法（サイドアームを１８０°回動させる方法）に限定されることはなく、例えば、特開２００４−２３３７８０号公報に記載された何れかの方法を採用してもよい。【００６９】
また、本実施形態は、第１実施形態のＨＭＤ本体１００の変形例であったが、第２実施形態のＨＭＤ本体１００を同様に変形してもよい。
【図１】
2007129443.tif 000003
【図２】
2007129443.tif 000004
【図３】
2007129443.tif 000005
【図４】
2007129443.tif 000006
【図５】
2007129443.tif 000007
【図６】
2007129443.tif 000008
【国際調査報告】
2007129443.tif 000009
2007129443.tif 000010
2007129443.tif 000011
2007129443.tif 000012
2007129443.tif 000013
2007129443.tif 000014
2007129443.tif 000015